(57)【特許請求の範囲】
【請求項１】
缶体（１０）内に風呂用吸熱管（１２）と給湯用吸熱管（１３）とを配設し、風呂用吸熱管（１２）を循環ポンプ（２０）を取付けた循環流路（２１）を介して浴槽（１０）と連通連結した１缶２回路式風呂釜（Ａ）において、
給湯側と風呂側の同時使用時には、給湯要求号数に基づき、風呂循環量を決定する循環量制御手段を設け、同循環量制御手段は、所定の給湯要求号数を超えた場合には、循環ポンプ（２０）を停止すべく構成したことを特徴とする１缶２回路式風呂釜。
【発明の詳細な説明】
【０００１】
【産業上の利用分野】
本発明は、１缶２回路式風呂釜に関するものである。
【０００２】
【従来の技術】
従来、上記を目的とした１缶２回路式風呂釜として、実公昭６２−２５６１４号公報に記載されたものがあり、かかる１缶２回路式風呂釜Ｂは、図６に示すように、フィン５１を共用して、当該フィン５１の上下部に給湯用吸熱管５２、風呂用吸熱管５３を配した缶体５４を有し、風呂用吸熱管５３と浴槽５５との循環路５６に風呂加熱時作動する循環ポンプ５７を介設するとともに、給湯と風呂加熱の同時使用に作動して循環ポンプ５７による浴槽水の循環量を制限するオリフィス５８を設けたことを特徴とする。
【０００３】
なお、図中、５９はバスアダプター、６０はバーナ、６１は水電磁弁、６２は通水検出器である。
【０００４】
かかる構成によって、風呂と給湯との同時使用時においても、風呂加熱が行えてかつ十分な能力の給湯が得ることができる。
【０００５】
【発明が解決しようとする課題】
しかし、上記した１缶２回路式風呂釜Ｂは、循環ポンプ５７による循環量をオリフィス５８を用いて制限するものであるため、給湯側で必要とされる給湯要求号数がある程度以上になっても、循環ポンプ５７が作動しつづけ、従って、給湯側で所定温度でかつ所定量の湯を供給することができないおそれがあった。
【０００６】
本発明は、上記した課題を解決することができる１缶２回路式風呂釜を提供することを目的とする。
【０００７】
【課題を解決するための手段】
本発明は、缶体内に風呂用吸熱管と給湯用吸熱管とを配設し、風呂用吸熱管を循環ポンプを取付けた循環流路を介して浴槽と連通連結した１缶２回路式風呂釜において、給湯側と風呂側の同時使用時には、給湯要求号数に基づき、風呂循環量を決定する循環量制御手段を設け、同循環量制御手段は、所定の給湯要求号数を超えた場合には、循環ポンプを停止すべく構成したことを特徴とする１缶２回路式風呂釜に係るものである。
【０００８】
【実施例】
以下、添付図に示す実施例を参照して、本発明を具体的に説明する。
【０００９】
図１において、１０は並設した多数のフィン１１を共用し、このフィン１１の上部に複数の風呂用吸熱管１  ２を、下部に複数の給湯用吸熱管１３を取付けた１缶２回路式風呂釜Ａの缶体である。
【００１０】
また、缶体１０の下部には、同缶体１０を加熱するバーナ１４が配設されており、同バーナ１４への燃料供給路１５には、電磁弁１６と比例弁１７とが取付けられている。
【００１１】
風呂用吸熱管１２，１２同士はＵ字管状の屈曲筒部１８を介して接続されており、一方、給湯用吸熱管１３，１３同士はＵ字管状の屈曲筒部１９を介して接続されている。
【００１２】
さらに、風呂用吸熱管１２，１２は、中途に循環ポンプ２０を取付けた循環流路２１を介して浴槽２２に連通連結されている。
【００１３】
一方、給湯用吸熱管１３，１３の水流入口２３には給水配管２４が接続されており、出湯口２５には給湯配管２６が接続されている。
【００１４】
また、給水配管２４には水量検出器２７と給水温度検出器２９が取付けられており、一方、給湯配管２６には給湯温度検出器２８が取付けられている。
【００１５】
なお、図１において、Ｃは制御装置を示し、水量検出器２７や給湯温度検出器２８の検出信号に基づいて、電磁弁１６や、比例弁１７や、循環ポンプ２０の駆動を制御するものである。
【００１６】
かかる構成を有する１缶２回路式風呂釜Ａは、バーナ１４の燃焼によって、単一の缶体１０を用いて、浴槽２２の追焚を行うことができるのみならず、シャワーや台所等へ給湯配管２６を通して出湯することができる。
【００１７】
本発明は、上記した構成を有する１缶２回路式風呂釜Ａにおいて、給湯要求号数を、水量検出器２７、給湯温度設定器２８，  給水温度検出器２９或いは給湯温度検出器３０，  給湯温度設定器２８の検出信号により演算し、循環量演算手段を具備する制御装置Ｃ内の記憶装置に記憶させた複数の風呂循環運転パターンに基づいて循環ポンプ２０の駆動を制御することを特徴とする。
【００１８】
以下、図２及び図３を参照して、循環ポンプ２０の駆動制御方法について説明すると、図２に示すように、追焚しながらシャワーを浴びる場合等において、水量検出器２７、給湯温度検出器２８、給水温度検出器２９或いは熱交換器出口温度検出器３０の検出信号により演算した給湯要求号数が所定号数（本実施例では、１９号）より小さい場合は、浴槽２２へは十分に加熱された浴湯を給湯できるので、循環ポンプ２０を連続運転する。
【００１９】
しかし、給湯要求号数が所定号数に達した場合は、制御装置Ｃ内の記憶装置に記憶させた一つの風呂循環運転パターンに基づいて、図２に示すように、循環ポンプ２０のデューティ比を変化させ、給湯要求号数が最大（２４号）になった場合は、デューティ比を０、即ち、循環ポンプ２０を完全停止する。
【００２０】
このように、給湯要求号数が所定値（本実施例では、２４号）以上になった場合には、循環ポンプ２０を停止して、浴槽２２への給湯（浴槽２２の追焚）を行わずに、給湯配管２６への給湯を優先して行うようにしているため、１缶２回路式風呂釜Ａが給湯側と風呂側とで同時に使用される場合であっても、給湯配管２６へは所定温度かつ所定量の湯を供給することができ、給湯配管２６の使用者に不快感を与えることがなくなり、１缶２回路式風呂釜Ａの使い勝手を向上させることができる。
【００２１】
図３に、循環ポンプ２０のデューティ比を変える一制御方法として、循環ポンプ２０のオン・オフ制御を示す。
【００２２】
即ち、給湯要求号数を、水量検出器２７、給湯温度設定器２８、給水温度検出器２９或いは給湯温度検出器３０、給湯温度設定器２８の検出信号により演算し、給湯要求号数が所定号数（本実施例では、１９号）より大きくなると、デューティ比が高い場合は、循環ポンプ２０の運転周期を、オン時間がオフ時間より長くするとともに、デューティ比が低い場合は、循環ポンプ２０の運転周期を、オン時間がオフ時間より短くする制御を行う。
【００２３】
循環ポンプ２０のオン・オフ運転パターンは、周期としては、０．１Ｈｚ〜３Ｈｚが好ましく、周期が短すぎると循環流速が低下して従来技術のような問題を引き起こすことになる。一方、周期が長すぎると、流量の差（停止中と流出中）が大きくなるため、給湯側の温度変化を招いてしまうことになる。
【００２４】
さらに、本実施例では、任意の周期において、循環ポンプ２０のオン・オフのデューティ比を０％〜１００％までの広い範囲で選択でき、給湯要求号数の区分を細かに割りつけることができ細やかな給湯制御が可能となる。
【００２５】
また、循環ポンプ２０のポンプ回転数のオン・オフのデューティ比は、給湯要求号数の所定値までは１００％で、所定値を越えてから缶体最大出力までは、デューティ比を演算により逆比例的に減じた値として決定することもできる。
【００２６】
さらに、循環ポンプの運転パターンは、図１及び図４に示すように、リモコンＲに、運転スイッチＳの他、複数の追焚スイッチＳ１，Ｓ２，Ｓ３を用意して、使用者の好みに応じて自由に運転パターンを選択できるようにしてもよい。
【００２７】
また、リモコンＲには給湯温度設定器２８が設けられ、任意に設定できるようにしている。
【００２８】
図５に本発明の他の実施例を示す。
【００２９】
本実施例は、図１に示す１缶２回路式風呂釜Ａにおいて、給水配管２４と給湯配管２６との間にバイパス配管４０を設け、パイパス配管４０と給湯配管２６との分岐部にミキシングバルブ４１を設け、かつ、給水配管２４には水量検出器２７と給水温度検出器２９を設け、給湯配管２６であってミキシングバルブ４１より下流側をなす混合湯水流路４４には水量バルブ４２と混合湯水温度検出器４３とを設けたことを特徴とする。
【００３０】
本実施例においても、図１を参照して説明した実施例と同様に、給湯要求号数を、水量検出器２７、給水温度検出器２９、給湯温度設定器２８、及び、混合湯水温度検出器４３、給湯温度設定器２８の検出信号により演算し、循環量演算手段を具備する制御装置Ｃ内の記憶装置に記憶させた複数の風呂循環運転パターンに基づいて循環ポンプ２０の駆動を制御して、浴槽２２へは十分に加熱された浴湯を給湯しながら、給湯配管２６を通して所定温度かつ所定量の湯を所望の出湯先から出湯することができる。
【００３１】
【発明の効果】
以上説明してきたように、本発明は、缶体内に風呂用吸熱管と給湯用吸熱管とを配設し、風呂用吸熱管を循環ポンプを取付けた循環流路を介して浴槽と連通連結した１缶２回路式風呂釜において、給湯側と風呂側の同時使用時には、給湯要求号数に基づき、風呂循環量を決定する循環量制御手段を設け、同循環量制御手段は、所定の給湯要求号数を超えた場合には、循環ポンプを停止すべく構成している。
【００３２】
そのため、給湯要求号数が所定値以下の場合には、浴槽へ十分に加熱された浴湯を給湯しながら、給湯配管を通して所定温度かつ所定量の湯を所望の出湯先から出湯することができる。
【００３３】
しかも、給湯要求号数が所定値以上になった場合でも、循環ポンプを停止して、浴槽への給湯を行わずに、給湯配管への給湯を優先して行うので、１缶２回路式風呂釜が給湯側と風呂側とで同時に使用される場合であっても、給湯配管へは所定温度かつ所定量の湯を供給することができ、給湯配管の使用者に不快感を与えることがなくなり、１缶２回路式風呂釜の使い勝手を向上させることができる。
【図面の簡単な説明】
【図１】本発明に係る１缶２回路式風呂釜の全体構成説明図である。
【図２】同風呂釜の燃焼パターンの説明図である。
【図３】循環ポンプのオン・オフ運転のデューティ比の説明図である。
【図４】リモコンの平面図である。
【図５】本発明の他の実施例に係る１缶２回路式風呂釜の全体構成説明図である。
【図６】従来の１缶２回路式風呂釜の全体構成説明図である。
【符号の説明】
Ａ  １缶２回路式風呂釜
Ｂ  １缶２回路式風呂釜
Ｃ  制御装置
１０  缶体
１２  風呂用吸熱管
１３  給湯用吸熱管
１４  バーナ
２７  水量検出器
２８  給湯温度設定器
２９  給水温度検出器
３０  給湯温度検出器
【図１】
0003576962.tif 000002
【図２】
0003576962.tif 000003
【図３】
0003576962.tif 000004
【図４】
0003576962.tif 000005
【図５】
0003576962.tif 000006
【図６】
0003576962.tif 000007